【手続補正書】
【提出日】平成17年11月4日(2005.11.4)
【手続補正１】
【補正対象書類名】明細書
【補正対象項目名】特許請求の範囲
【補正方法】変更
【補正の内容】
【特許請求の範囲】
【請求項１】  音声通信可能な少なくとも１つの遠隔端末を備えるアクセスポイントに関連付けされた複数の前記遠隔端末を含み、前記アクセスポイントと前記遠隔端末とは、可変サイズ通信データパケットと音声パケットとを、前記アクセスポイントと前記遠隔端末との間で共有される半二重通信媒体上で送受信することにより通信するようになっている、混合トラヒック無線ローカルエリアネットワークで使用するアクセスポイントであって、
どの遠隔端末が音声通信可能な遠隔端末であるかを判定し、
前記半二重通信媒体及び他の通信媒体から、各々が前記遠隔端末の特定の１つにアドレス指定されている、音声パケット及びデータパケットを含む複数の可変サイズパケットを受信し、
前記半二重通信媒体が利用可能な場合に、前記半二重通信チャンネル上に一度に１つのパケットを送信することによって受信パケットを分配し、
各々の遠隔端末に送信されたパケット数によって公平性を決定し、前記遠隔端末の間の公平なパケット分配を保つことに基づいて、次にどの遠隔端末に送信するかを判定し、
前記アクセスポイントが次に送信する前記遠隔端末にアドレス指定された前記受信パケットの中から、どのパケットを次に送信するかは、
音声通信可能な遠隔端末にアドレス指定されたパケットに関して、特定の音声通信可能な遠隔端末にアドレス指定されたデータパケットを送信する前に、前記特定の音声通信可能な遠隔端末にアドレス指定された受信音声パケットを送信することによって、音声パケットに高い優先順位を与えること、及び、
前記アクセスポイントが次に送信しようとする前記遠隔端末にアドレス指定された前記パケットの受信順序と、
に基づいて判定し、
前記アクセスポイントが、前記音声通信可能な遠隔端末に対する音声パケットに高い優先順位を与えながら、前記遠隔端末の全てを公平に取り扱うように構成されていることを特徴とするアクセスポイント。
【請求項２】  前記遠隔端末にアドレス指定され各々のパケットを受信した前記遠隔端末に応答して、各々の遠隔端末から送信される、各々の遠隔端末からの受信確認パケットを受信するように更に構成されていることを特徴とする請求項１に記載のアクセスポイント。
【請求項３】  受信確認パケットが受信されたパケットを廃棄するように更に構成されていることを特徴とする請求項２に記載のアクセスポイント。
【請求項４】  前記送信パケットに対する受信確認パケットが受信されている場合、各々の送信パケットを廃棄するように更に構成されていることを特徴とする請求項２に記載のアクセスポイント。
【請求項５】  前記アクセスポイントが、前記パケットの前記送信に応答して、少なくとも１つの受信確認パケットを受信することなく、前記パケットが所定回数だけ再送信された後に、各々のパケットを廃棄するように更に構成されていることを特徴とする請求項４に記載のアクセスポイント。
【請求項６】  再送信されている前記パケットが音声通信を保留中であるか否かに基づいて、受信確認されていないパケットを何回再送信すべきかを決定するよう更に構成されていることを特徴とする請求項５に記載のアクセスポイント。
【請求項７】  前記半二重通信媒体上で通信するための周波数ホッピング方式スペクトラム拡散無線通信を使用し、
所定回数の再送信の後、周波数ホップの後まで更に再送信を遅らせる、
ように更に構成されていることを特徴とする請求項６に記載のアクセスポイント。
【請求項８】  前記チャンネルが利用可能な時を検知するのに用いる競合ウインドウを使用するよう更に構成され、前記ウインドウが、少なくとも２つの異なる持続期間を有し、前記持続期間の２つの内の１つが、送信されるべき前記次のパケットが音声通信を行うか否かに基づいて選択されることを特徴とする請求項１に記載のアクセスポイント。
【請求項９】  どのパケットが音声通信を行うための音声パケットであるかを判定するように更に構成されていることを特徴とする請求項８に記載のアクセスポイント。
【請求項１０】  送信されるべき音声パケットのための第１の持続期間の競合ウインドウを使用し、送信されるべき他のパケットのための前記第１の持続期間よりも長い第２の持続期間の競合ウインドウを使用するように更に構成されていることを特徴とする請求項８に記載のアクセスポイント。
【請求項１１】  複数の別々の待ち行列を有するように更に構成され、前記待ち行列の各々が、前記端末のそれぞれ１つにアドレス指定された前記受信パケットを含むことを特徴とする請求項１に記載のアクセスポイント。
【請求項１２】  前記複数の待ち行列が、同じサイズであることを特徴とする請求項１１に記載のアクセスポイント。
【請求項１３】  前記半二重通信媒体上の前記遠隔端末と通信するために、衝突検知多重アクセス通信プロトコルを使用するように更に構成されていることを特徴とする請求項１に記載のアクセスポイント。
【請求項１４】  複数の通信プロトコルでもって前記半二重通信媒体及び前記他の通信媒体から可変サイズパケットを受信し、
前記パケットの前記通信プロトコルを判定する、
ように更に構成されていることを特徴とする請求項１に記載のアクセスポイント。
【請求項１５】  少なくとも部分的に、どのプロトコルに判定されたかに基づいて、どのパケットが音声パケット通信であるかを判定するように更に構成されていることを特徴とする請求項１４に記載のアクセスポイント。
【請求項１６】  少なくとも部分的に、判定された前記通信プロトコルがユーザー・データグラム・プロトコルであることに基づいて、どのパケットが音声パケット用であるかを判定するように更に構成されていることを特徴とする請求項１５に記載のアクセスポイント。
【請求項１７】  前記無線ローカルエリアネットワークが衝突検知多重アクセス通信ネットワークである場合、前記アクセスポイントが、データ及び他のパケットのための持続期間よりも音声パケットのための持続期間の方が短い衝突検知ウインドウ持続期間を使用するように構成されていることを特徴とする請求項１に記載のアクセスポイント。
【請求項１８】  複数の待ち行列を有し、前記待ち行列の各々が前記遠隔端末の１つに関連付けされ、前記待ち行列の各々が、前記待ち行列に関連付けされる前記遠隔端末にアドレス指定された前記パケットを記憶するように更に構成されていることを特徴とする請求項１に記載のアクセスポイント。
【請求項１９】  同じサイズの待ち行列を有するように更に構成されていることを特徴とする請求項１８に記載のアクセスポイント。
【請求項２０】  前記遠隔端末へ再送信されるようになったデータパケットを送信する前に、前記アクセスポイントが次に送信しようとしている前記遠隔端末にアドレス指定された任意の音声パケットを送信することに基づいて、次にどのパケットを送信するかを判定するように更に構成されていることを特徴とする請求項４に記載のアクセスポイント。
【請求項２１】  請求項１に記載の前記アクセスポイントと、
該アクセスポイントに関連付けされた複数の遠隔端末と、
を含むことを特徴とする通信システム。
【請求項２２】  複数の移動式ユニットを有する、無線ローカルエリアネットワークで使用するための音声通信及びデータ通信を行うアクセスポイントであって、
特定の移動式ユニットに向けられた通信パケットを搬送する信号を受信し、
現在のパケットが音声通信パケットであるかどうか、各移動式ユニットへ伝送されるパケットの総数、及び前記パケットが前記アクセスポイントから受信された順位と、に基づいて、送信用通信パケットに優先順位を付けるように構成されていることを特徴とするアクセスポイント。
【請求項２３】  アクセスポイントと、複数の移動式ユニットを有する、無線ローカルエリアネットワークで使用するための音声通信及びデータ通信を行う方法であって、
特定の前記移動式ユニットに向けられた通信パケットを搬送する信号を受信する段階と、
現在のパケットが音声通信パケットであるかどうか、各移動式ユニットへ伝送されるパケットの総数、及び前記パケットが前記アクセスポイントによって受信された順位と、に基づいて、送信用通信パケットに優先順位を付ける段階と、
を含むことを特徴とする方法。
【請求項２４】  キャリア検知多重アクセス通信システムにおいて使用するための送信機であって、
特定の受信ユニットに向けて通信パケットを搬送する信号を受信し、  
現在のパケットが音声通信パケットであるかどうか、各移動式ユニットへ伝送されるパケットの総数、及び前記パケットが前記アクセスポイントによって受信された順位と、に基づいて、送信用通信パケットに優先順位を付け、
音声通信用のパケットを送信するために、第１の持続期間の競合ウインドウを使用し、
他のパケットを送信するために、前記第１の持続期間とは異なる第２の持続期間の競合ウインドウを使用するように構成されていることを特徴とする送信機。
【請求項２５】  前記第１の持続期間が前記第２の持続期間よりも短いことを特徴とする請求項２４に記載の送信機。
【請求項２６】  前記送信機が、前記通信システムのアクセスポイントであることを特徴とする請求項２４に記載の送信機。
【請求項２７】  前記送信機が、前記通信システムの遠隔端末であることを特徴とする請求項２４に記載の送信機。
【請求項２８】  キャリア検知多重アクセス通信システムで使用するためのパケットを送信する方法であって、
特定の受信ユニットに向けて通信パケットを搬送する信号を受信する段階と、  
現在のパケットが音声通信パケットであるかどうか、各移動式ユニットへ伝送されるパケットの総数、及び前記パケットが前記アクセスポイントによって受信された順位と、に基づいて、送信用通信パケットに優先順位を付ける段階と、
音声通信用のパケットを送信するために、第１の持続期間の競合ウインドウを使用する段階と、
他のパケットを送信するために、前記第１の持続期間とは異なる第２の持続期間の競合ウインドウを使用する段階と、
を含むことを特徴とする方法。
【請求項２９】  前記第１の持続期間が前記第２の持続期間よりも短いことを特徴とする請求項２８に記載の方法。
【請求項３０】  第１の持続期間の競合ウインドウを使用する前記段階と第２の持続期間の競合ウインドウを使用する前記段階とが、前記通信システムのアクセスポイントにおいて実行されることを特徴とする請求項２８に記載の方法。
【請求項３１】  第１の持続期間の競合ウインドウを使用する前記段階と第２の持続期間の競合ウインドウを使用する前記段階とが、前記通信システムの移動式ユニットにおいて実行されることを特徴とする請求項２８に記載の方法。
【請求項３２】  各データパケットの優先情報に基づいて複数のパケットのそれぞれの優先順位を決定する段階と、
伝送待ち行列内で前記パケットを最も高い優先順位から最も低い優先順位に配列する段階と、
通信媒体を介して前記パケットを無線で伝送し、前記最も高い優先順位を有するパケットが前記最も低い優先順位を有するパケットよりも前に伝送される段階と、
からなる方法。
【請求項３３】  少なくとも一つのパケットを含む複数の伝送待ち行列の一つを選択し、前記選択は、前記伝送待ち行列の他の一つの少なくとも一つの先の選択と、前記伝送待ち行列のそれぞれの最も高い優先パケットと、に基づくものであり、前記伝送待ち行列の各々は前記少なくとも一つのパケットがアドレス指定される宛先に対応するものであり、
前記選択された伝送待ち行列から前記最も高い優先パケットを伝送する、
段階からなる方法。
【請求項３４】  伝送のために伝送待ち行列からパケットを選択し、前記パケットは少なくとも２つのパケット形式のうちの一つであり、
通信媒体が使用中であるかどうかを判断し、
前記通信媒体が使用中であるときには、前記パケットが第１の形式である場合の第１の時間期間と、前記パケットが第２のタイプである場合の第２の時間期間とのいずれか一方を選択し、
前記パケットが前記第１の形式であるときの第１の時間期間と、前記パケットが第２の形式であるときの第２の時間期間のいずれか一方の後に前記パケットを伝送する、
段階からなる方法。